(57)【要約】【課題】消費電力を低減させつつ、操作子の操作に応じた画像を忠実に表示する。【解決手段】表示装置は、表示の記憶性を有する記憶性表示体と、記憶性表示体の表示面から操作者が操る入力装置までの距離が閾値以下であることを検出する近接検出部と、近接検出部によって前記距離が閾値以下であることが検出されている場合には、記憶性表示体の表示素子に印加する駆動電圧を昇圧する昇圧動作を行い、近接検出部によって前記距離が閾値以下であることが検出されない場合には、当該昇圧動作を行わない昇圧回路と、昇圧回路によって駆動電圧が所定の値まで昇圧されると、入力装置により指定された位置に対応する表示素子に所定の値の電圧を印加して当該表示素子を駆動し、記憶性表示体の表示面に画像を表示させる駆動回路とを備える。【選択図】図１
2010107860.tif 000002
【特許請求の範囲】
【請求項１】
複数の表示素子を用いて構成される表示面を有し、当該表示素子に電圧が印加されて当該表示素子が駆動されると前記表示面に画像を表示し、画像を表示した後は当該電圧が印加されなくても当該画像を表示し続ける表示手段と、
前記表示手段の表示面から操作子までの距離が閾値以下であることを検出する検出手段と、
前記検出手段によって前記距離が閾値以下であることが検出されている場合には、前記表示手段の表示素子に印加する電圧を昇圧する昇圧動作を行い、前記検出手段によって前記距離が閾値以下であることが検出されない場合には、当該昇圧動作を行わない昇圧手段と、
前記昇圧手段によって前記電圧が所定の値まで昇圧されると、前記操作子により指定された位置に対応する前記表示素子に前記所定の値の電圧を印加して当該表示素子を駆動し、前記表示手段の表示面に画像を表示させる駆動手段と
を備えることを特徴とする表示装置。
【請求項２】
前記検出手段は、前記表示手段の表示面から前記操作子までの距離が第１の閾値以下であること、及び、当該距離が当該第１の閾値よりも大きい第２の閾値以下であることを検出し、
前記昇圧手段は、
前記検出手段による検出結果に基づいて、前記表示手段の表示面から前記操作子までの距離が、前記第１の閾値を超える距離から、当該第１の閾値以下の距離へと変化したと判断される場合には、前記昇圧動作を開始して、前記表示手段の表示面から前記操作子までの距離が前記第２の閾値以下の距離であると判断される間は、当該昇圧動作を継続し、
前記検出手段による検出結果に基づいて、前記表示手段の表示面から前記操作子までの距離が前記第２の閾値以下の距離から、当該第２の閾値を超える距離へと変化したと判断されると、前記昇圧動作を停止する
ことを特徴とする請求項１に記載の表示装置。
【請求項３】
前記検出手段は、前記操作子の前記表示面に対する移動方向を判別し、
前記昇圧手段は、
前記検出手段によって前記距離が前記閾値になったことが検出されたときに、前記操作子が前記表示面に近づく方向に移動していると判別された場合には、前記昇圧動作を開始し、
前記検出手段によって前記距離が前記閾値になったことが検出されたときに、前記操作子が前記表示面から遠ざかる方向に移動していると判別された場合には、前記昇圧動作を停止する
ことを特徴とする請求項１に記載の表示装置。
【請求項４】
前記検出手段は、前記操作子の前記表示面に対する移動方向を判別し、
前記昇圧手段は、
前記検出手段によって前記距離が前記第１の閾値になったことが検出されたときに、前記操作子が前記表示面に近づく方向に移動していると判別された場合には、前記昇圧動作を開始し、
前記検出手段によって前記距離が前記第２の閾値になったことが検出されたときに、前記操作子が前記表示面から遠ざかる方向に移動していると判別された場合には、前記昇圧動作を停止する
ことを特徴とする請求項２に記載の表示装置。
【請求項５】
前記検出手段は、前記操作子の移動に応じた磁束の変化により発生した電磁誘導信号の強弱によって、前記表示手段の表示面から当該操作子までの距離が閾値以下であることを検出する
ことを特徴とする請求項１から４のいずれか１項に記載の表示装置。
【発明の詳細な説明】
【技術分野】
【０００１】
本発明は、表示手段の電源を制御する技術に関する。
【背景技術】
【０００２】
電子ペーパーと呼ばれる表示装置は、表示の記憶性を有しており、駆動電圧が印加されなくても表示内容を維持することができる。そのため、この表示装置においては、表示内容を書き換える時以外は、駆動電圧の電源をオフにすることができる。例えば、特許文献１には、表示の記憶性を有する表示装置において、表示内容を変更するときには、表示装置、表示制御部および記憶部への電力の供給を行い、表示内容の変更後は、これらの部位への電力の供給を停止する技術が開示されている。
【特許文献１】特開２０００−３１５１２７号公報
【発明の開示】
【発明が解決しようとする課題】
【０００３】
ところで、電子ペーパーなどの表示装置においては、スタイラスペンなどで文字や画像を描いて入力ができる手書き入力機能のニーズが高い。しかしながら、この手書き入力機能を備えると、いつ行われるかわからない手書き入力に対応するために、駆動電圧の電源を常にオンにしておかなくてはならず、表示内容を書き換える時以外は駆動電圧の電源をオフにする場合と比べて、表示装置の消費電力が格段に大きくなってしまう。
本発明は、このような背景に鑑みてなされたものであり、消費電力を低減させつつ、操作子の操作に応じた画像を忠実に表示することを目的とする。
【課題を解決するための手段】
【０００４】
本発明は、複数の表示素子を用いて構成される表示面を有し、当該表示素子に電圧が印加されて当該表示素子が駆動されると前記表示面に画像を表示し、画像を表示した後は当該電圧が印加されなくても当該画像を表示し続ける表示手段と、前記表示手段の表示面から操作子までの距離が閾値以下であることを検出する検出手段と、前記検出手段によって前記距離が閾値以下であることが検出されている場合には、前記表示手段の表示素子に印加する電圧を昇圧する昇圧動作を行い、前記検出手段によって前記距離が閾値以下であることが検出されない場合には、当該昇圧動作を行わない昇圧手段と、前記昇圧手段によって前記電圧が所定の値まで昇圧されると、前記操作子により指定された位置に対応する前記表示素子に前記所定の値の電圧を印加して当該表示素子を駆動し、前記表示手段の表示面に画像を表示させる駆動手段とを備えることを特徴とする表示装置を提供する。これにより、消費電力を低減させつつ、操作子の操作に応じた画像を忠実に表示することができる。
【０００５】
本発明の好ましい態様において、前記検出手段は、前記表示手段の表示面から前記操作子までの距離が第１の閾値以下であること、及び、当該距離が当該第１の閾値よりも大きい第２の閾値以下であることを検出し、前記昇圧手段は、前記検出手段による検出結果に基づいて、前記表示手段の表示面から前記操作子までの距離が、前記第１の閾値を超える距離から、当該第１の閾値以下の距離へと変化したと判断される場合には、前記昇圧動作を開始して、前記表示手段の表示面から前記操作子までの距離が前記第２の閾値以下の距離であると判断される間は、当該昇圧動作を継続し、前記検出手段による検出結果に基づいて、前記表示手段の表示面から前記操作子までの距離が前記第２の閾値以下の距離から、当該第２の閾値を超える距離へと変化したと判断されると、前記昇圧動作を停止してもよい。これにより、表示手段の表示面から第２の閾値までの間においては、操作子が表示面に近づけられたり遠ざけられたりしても、昇圧動作の停止や開始を繰り返すことなく、昇圧動作が維持される。
【０００６】
本発明の好ましい態様において、前記検出手段は、前記操作子の前記表示面に対する移動方向を判別し、前記昇圧手段は、前記検出手段によって前記距離が前記閾値になったことが検出されたときに、前記操作子が前記表示面に近づく方向に移動していると判別された場合には、前記昇圧動作を開始し、前記検出手段によって前記距離が前記閾値になったことが検出されたときに、前記操作子が前記表示面から遠ざかる方向に移動していると判別された場合には、前記昇圧動作を停止してもよい。これにより、操作子の動きをより正確に把握し、表示手段の電源を適切に制御することができる。
【０００７】
本発明の好ましい態様において、前記検出手段は、前記操作子の前記表示面に対する移動方向を判別し、前記昇圧手段は、前記検出手段によって前記距離が前記第１の閾値になったことが検出されたときに、前記操作子が前記表示面に近づく方向に移動していると判別された場合には、前記昇圧動作を開始し、前記検出手段によって前記距離が前記第２の閾値になったことが検出されたときに、前記操作子が前記表示面から遠ざかる方向に移動していると判別された場合には、前記昇圧動作を停止してもよい。これにより、操作子の動きをより正確に把握し、表示手段の電源を適切に制御することができる。
【０００８】
本発明の好ましい態様において、前記検出手段は、前記操作子の移動に応じた磁束の変化により発生した電磁誘導信号の強弱によって、前記表示手段の表示面から当該操作子までの距離が閾値以下であることを検出してもよい。
【発明を実施するための最良の形態】
【０００９】
［構成］
図１は、本実施形態に係る表示装置１の構成を示すブロック図である。この表示装置１は、例えば電子ペーパーであり、入力装置２を用いて描画された描画内容を表示する手書き入力機能を有している。同図に示すように、表示装置１は、表示部１０と、検出部２０とを備えている。表示部１０は、制御部１１と、表示用電源部１２と、昇圧回路１３と、駆動制御回路１４と、駆動回路１５と、記憶性表示体１６とを備えている。この実施形態では、表示手段として記憶性表示体１６を用い、昇圧手段として昇圧回路１３を用い、駆動手段として駆動回路１５を用いている。
【００１０】
制御部１１は、ＣＰＵ（Central Processing Unit）やメモリなどを有しており、ＣＰＵがメモリに記憶されているプログラムを実行して、表示装置１の各部を制御する。表示用電源部１２は、例えば充電可能な電池であり、表示用の電源を昇圧回路１３に供給する。昇圧回路１３は、例えば昇圧型スイッチングレギュレータであり、表示用電源部１２から供給される電源電圧を昇圧する。駆動制御回路１４は、制御部１１によって供給される画像データに基づいて、駆動回路１５を制御する。駆動回路１５は、駆動制御回路１４の制御に従って、昇圧回路１３によって昇圧された電源電圧を駆動電圧として記憶性表示体１６の表示素子に印加し、表示素子を駆動する。記憶性表示体１６は、電気泳動素子などの複数の表示素子を用いて構成される表示面を有しており、駆動回路１５によって表示素子が駆動されることにより、表示面に画像を表示する。また、この記憶性表示体１６は、表示の記憶性を有しており、表示素子が駆動されて画像を表示するまでの駆動期間においては駆動電源が必要であるが、画像が表示された後は、表示素子に電圧が印加されなくてもその画像を表示し続けることができる。
【００１１】
検出部２０は、検出面２１と、近接検出部２２、座標検出部２３とを備えている。この実施形態では、検出手段として検出面２１及び近接検出部２２を用いている。検出面２１は、記憶性表示体１６の表示体の背面側に設置されている。この検出面２１は、マトリックス状に密に配置された複数のセンサーコイルを有しており、電磁誘導方式によって入力装置２から発せられた交流磁界に応じた電磁誘導信号を検出する。この検出面２１は、２００〜３００ｄｐｉ（dots per inch）程度の解像度を有しており、入力装置２が記憶性表示体１６の表示面から距離Ｌ以下に近づけられると、電磁誘導信号を検出することができる。近接検出部２２は、検出面２１によって電磁誘導信号が検出されると、入力装置２と記憶性表示体１６の表示面とが近接状態であることを検出する。つまり、近接検出部２２は、操作子の移動に応じた磁束の変化により発生した電磁誘導信号に基づいて、記憶性表示体１６の表示面から入力装置２までの距離が閾値以下であることを検出する。座標検出部２３は、検出面２１によって検出された電磁誘導信号に基づいて、記憶性表示体１６の表示面において入力装置２によって接触された位置を表す位置座標を検出する。この位置座標は、記憶性表示体１６の表示面の始点（左上隅点）を原点０としたｘｙ座標系に従って決定される。
【００１２】
ここで、図２を参照して、入力装置２の操作について説明する。この入力装置２は、操作者によって操られる操作子であり、ペンを模した形状をしている。操作者は、手書き入力を行いたい場合、図２（ａ）〜（ｃ）に示すように、入力装置２を記憶性表示体１６の表示面に近づけていき、入力装置２のペン先を記憶性表示体１６の表示面に接触させる。そして、操作者は、記憶性表示体１６の表示面を入力装置２のペン先でなぞって、文字や画像を描画する。このようにして、入力装置２を用いて文字や画像が描画されると、記憶性表示体１６の表示面には、入力装置２を用いて描かれた描画内容が入力装置２の軌跡に追従して表示される。
【００１３】
［動作］
次に、表示装置１の動作について説明する。
図３は、表示装置１の動作を示すタイミングチャートである。時刻Ｔ０において、図２（ｂ）に示すように、操作者によって入力装置２が記憶性表示体１６の表示面から距離Ｌまで近づけられると、検出面２１は、入力装置２から発せられた交流磁界に応じた電磁誘導信号を検出する。検出面２１によって電磁誘導信号が検出されると、近接検出部２２は、入力装置２と記憶性表示体１６の表示面とが近接状態であることを検出し、制御部１１に近接検出信号を供給する。これにより、近接検出状態がオンになる。近接検出信号が供給されると、制御部１１は、昇圧回路１３に電源オン信号を供給し、電源をオンにさせる。電源オン信号が供給されると、昇圧回路１３は、駆動電圧の昇圧を開始する。つまり、昇圧回路１３は、近接検出部２２によって記憶性表示体１６の表示面から入力装置２までの距離が閾値以下であることが検出されている場合には、記憶性表示体１６の表示素子に印加する駆動電圧を昇圧する昇圧動作を行う。これにより、駆動電圧の電位は徐々に上昇し、時刻Ｔ１において所定電圧ＶＴに達する。この時刻Ｔ０〜Ｔ１までは、駆動電圧が所定電圧ＶＴに達するまでの立ち上がり期間となる。
【００１４】
また、この間、入力装置２は、操作者によって記憶性表示体１６の表示面へとさらに近づけられていく。そして、時刻Ｔ１において、図２（ｃ）に示すように、入力装置２のペン先が記憶性表示体１６の表示面に接触されると、座標検出部２３は、入力装置２によって接触された位置を表す位置座標を検出し、制御部１１に供給する。これにより、接触検出状態がオンになる。位置座標が供給されると、制御部１１は、この位置座標に基づいて、入力装置２によって描かれた描画内容を表す画像データを生成する。続いて、制御部１１は、生成した画像データを駆動制御回路１４に供給し、描画を指示する。駆動制御回路１４は、供給された画像データに応じた駆動制御信号を駆動回路１５に供給する。駆動回路１５は、供給された駆動制御信号に基づいて、記憶性表示体１６の表示素子に駆動電圧を印加して、表示素子を駆動する。このとき、駆動回路１５は、入力装置２により指定された位置に対応する表示素子に駆動電圧を印加して、表示素子を駆動することになる。上述したように、時刻Ｔ１には立ち上がり期間が終了しているため、駆動電圧の電位が所定電圧ＶＴに達している。よって、記憶性表示体１６の表示素子には、所定電圧ＶＴの駆動電圧が印加される。これにより、記憶性表示体１６の表示面には、入力装置２を用いて描画された描画内容が表示される。時刻Ｔ１〜Ｔ２の間は、記憶性表示体１６が駆動期間となっており、入力装置２の軌跡に追従して、入力装置２を用いて描かれた描画内容が表示面に表示されていく。
【００１５】
そして、時刻Ｔ２において、図２（ｂ）に示すように、操作者によって入力装置２が記憶性表示体１６の表示面から離されると、座標検出部２３による位置座標の検出が行われなくなる。これにより、接触検出状態がオフになる。そして、時刻Ｔ３において、図２（ａ）に示すように、操作者によって入力装置２が記憶性表示体１６の表示面から距離Ｌよりも遠ざけられると、近接検出部２２による近接状態の検出が行われなくなる。これにより、近接検出状態がオフになる。このとき、制御部１１は、昇圧回路１３に電源オフ信号を供給し、電源をオフにさせる。これにより、昇圧回路１３は、駆動電圧を昇圧する動作を停止し、記憶性表示体１６は非駆動状態となる。つまり、昇圧回路１３は、近接検出部２２によって記憶性表示体１６の表示面から入力装置２までの距離が閾値以下であることが検出されない場合には、昇圧動作を行わない。昇圧回路１３によって昇圧動作が停止された後、駆動電圧の電圧は徐々に低下していく。その後、操作者によって入力装置２が再び記憶性表示体１６の表示面へと近づけられると、上述と同様の動作が行われる。
【００１６】
ここで、図４に示すタイミングチャートを参照して、本発明を採用しない場合の表示装置の動作について説明する。この場合、消費電力をできるだけ抑えるには、入力装置２のペン先が記憶性表示体１６の表示面に接触している間だけ、記憶性表示体１６を駆動させることが考えられる。具体的には、図４に示す時刻Ｔ０において、図２（ｃ）に示すように、操作者によって入力装置２のペン先が記憶性表示体１６の表示面に接触されて、接触検出状態がオンになったときに、昇圧回路１３の電源をオンにし、駆動電圧の昇圧を開始させる。このとき、時刻Ｔ０〜Ｔ１までの間は、駆動電圧の立ち上がり期間となる。そして、この立ち上がり期間を経た時刻Ｔ１において、駆動電圧の電位が所定電圧ＶＴに達すると、記憶性表示体１６が駆動される。この場合、時刻Ｔ０〜Ｔ１までの間は、立ち上がり期間となるため、記憶性表示体１６が駆動されておらず、この間に入力装置２を用いて描かれた描画内容は、記憶性表示体１６の表示面には表示されない。このように、本発明を採用しない場合には、駆動電圧の立ち上がり期間において描画された描画内容を表示することができない。
【００１７】
以上説明した実施形態によれば、入力装置２が記憶性表示体１６の表示面から距離Ｌよりも遠ざけられている間は、記憶性表示体１６に駆動電圧が印加されないため、表示装置１の消費電力が抑えられる。また、上述した実施形態では、入力装置２が記憶性表示体１６の表示面に接触する前に昇圧動作が開始されるため、昇圧動作が開始されてから入力装置２が記憶性表示体１６の表示面に接触されるまでの数１０ｍｓ〜数１００ｍｓの間に駆動電圧の立ち上がり期間が終了するようになっている。よって、入力装置２が記憶性表示体１６の表示面に接触された時に、記憶性表示体１６がすぐに駆動されて、入力装置２を用いて描画された描画内容をその描き始めから追従して記憶性表示体１６の表示面に表示することができる。つまり、消費電力を低減させつつ、入力装置２の操作に応じた画像を忠実に表示することができる。
【００１８】
［変形例］
以上が実施形態の説明であるが、この実施形態の内容は以下のように変形し得る。また、以下の変形例を適宜組み合わせてもよい。
（変形例１）
上述した実施形態では、操作者によって入力装置２が記憶性表示体１６の表示面から距離Ｌよりも遠ざけられたときに、昇圧回路１３の電源をオフにしていたが、昇圧回路１３の電源をオフにするタイミングはこれに限らない。例えば、操作者によって入力装置２が記憶性表示体１６の表示面から離されて、所定の時間経過したときに、昇圧回路１３の電源をオフにしてもよい。
【００１９】
（変形例２）
上述した実施形態においては、入力装置２が記憶性表示体１６の表示面に近づけられるほど、検出面２１によって検出される電磁誘導信号の強度が強くなる。そこで、近接検出部２２は、検出面２１によって検出された電磁誘導信号の強弱によって、記憶性表示体１６の表示面から入力装置２までの距離が第１の閾値以下であること、及び、この距離が第１の閾値よりも大きい第２の閾値以下であることを検出してもよい。この第２の閾値は、例えば約３０ｍｍである。この場合には、操作者によって入力装置２が記憶性表示体１６の表示面から第１の閾値まで近づけられたときに、昇圧回路１３の電源をオンにし、入力装置２が記憶性表示体１６の表示面から第２の閾値よりも遠ざけられたときに、昇圧回路１３の電源をオフにする。つまり、昇圧回路１３は、近接検出部２２による検出結果に基づいて、記憶性表示体１６の表示面から入力装置２までの距離が、第１の閾値を超える距離から、当該第１の閾値以下の距離へと変化したと判断される場合には、昇圧動作を開始して、記憶性表示体１６の表示面から入力装置２までの距離が第２の閾値以下の距離であると判断される間は、この昇圧動作を継続し、近接検出部２２による検出結果に基づいて、記憶性表示体１６の表示面から入力装置２までの距離が第２の閾値以下の距離から、第２の閾値を超える距離へと変化したと判断されると、昇圧動作を停止する。
【００２０】
（変形例３）
上述した実施形態において、近接検出部２２は、検出面２１によって検出された電磁誘導信号に基づいて、記憶性表示体１６の表示面から入力装置２までの距離を測定し、測定した距離の微分値を算出する。そして、近接検出部２２は、算出した微分値が負の値であれば、入力装置２が記憶性表示体１６の表示面へと近づけられていると判別し、算出した微分値が正の値であれば、入力装置２が記憶性表示体１６の表示面から遠ざけられていると判別してもよい。この場合には、近接検出部２２によって近接状態であると検出されたときに、入力装置２が記憶性表示体１６の表示面へと近づけられていると判定された場合には、昇圧回路１３の電源をオンにし、近接検出部２２によって近接状態であると検出されたときに、入力装置２が記憶性表示体１６の表示面から遠ざけられていると判定された場合には、昇圧回路１３の電源をオフにする。つまり、昇圧回路１３は、近接検出部２２によって記憶性表示体１６の表示面から入力装置２までの距離が閾値になったことが検出されたときに、入力装置２が表示面に近づく方向に移動していると判別された場合には、昇圧動作を開始し、近接検出部２２によって記憶性表示体１６の表示面から入力装置２までの距離が閾値になったことが検出されたときに、入力装置２が表示面から遠ざかる方向に移動していると判別された場合には、昇圧動作を停止する。
【００２１】
また、上述した変形例２のように、近接検出部２２が、検出面２１によって検出された電磁誘導信号の強弱によって、記憶性表示体１６の表示面から入力装置２までの距離が第１の閾値以下であること、及び、この距離が第１の閾値よりも大きい第２の閾値以下であることを検出する場合には、昇圧回路１３が以下のように動作してもよい。この昇圧回路１３は、近接検出部２２によって記憶性表示体１６の表示面から入力装置２までの距離が第１の閾値になったことが検出されたときに、入力装置２が表示面に近づく方向に移動していると判別された場合には、昇圧動作を開始し、近接検出部２２によって記憶性表示体１６の表示面から入力装置２までの距離が第１の閾値よりも大きい第２の閾値になったことが検出されたときに、入力装置２が表示面から遠ざかる方向に移動していると判別された場合には、昇圧動作を停止する。
【００２２】
（変形例４）
上述した実施形態において、制御部１１は、昇圧回路１３の電源をオン又はオフにさせるタイミングを学習する機能を備えていてもよい。例えば、操作者によって入力装置２がすばやく記憶性表示体１６の表示面に近づけられた場合には、閾値である距離Ｌを大きくして、昇圧回路１３の電源をオンにさせるタイミングを早める。また、昇圧回路１３の電源をオフにした後、すぐに入力装置２のペン先が記憶性表示体１６の表示面に接触された場合には、閾値である距離Ｌを大きくして、昇圧回路１３の電源をオフにするタイミングを遅らせる。
また、昇圧回路１３の電源をオン又はオフにする閾値は、操作者の操作によって設定されてもよい。
【００２３】
（変形例５）
上述した実施形態では、記憶性表示体１６の駆動電源だけを制御していたが、表示装置１の他の部位の電源を制御してもよい。例えば、昇圧回路１３の電源をオフにする時に、駆動制御回路１４の動作モードを省電力モードに切り替えてもよい。駆動制御回路１４は、省電力モードに切り替えられると、例えば動作クロック周波数を低下させて、低電力で動作する。これにより、電力消費を一層抑えることができる。
【００２４】
（変形例６）
上述した実施形態では、検出部２０は、電磁誘導方式によって入力装置２の位置を検出していたが、入力装置２の位置を検出する方法はこれに限らない。例えば、超音波を用いて入力装置２の位置を検出してもよい。具体的には、検出面２１に超音波センサを設け、この超音波センサによって記憶性表示体１６の表示面に対して垂直に超音波を照射し、このとき入力装置２によって反射される反射波を検出して、入力装置２の位置を検出する。この場合、必ずしも入力装置２が用いられる必要はない。例えば、操作者の指が操作子として記憶性表示体１６の表示面上に近づけられたり、接触されたりしてもよい。
【００２５】
（変形例７）
上述した実施形態では、電気泳動方式の記憶性表示体１６を用いた例を挙げて説明したが、記憶性表示体１６の表示方式はこれに限らない。例えば、エレクトロクロミック方式であってもよい。
【００２６】
（変形例８）
前述した実施形態において、表示装置１にて行われる各動作は、１又は複数のハードウェアによって実現されてもよいし、ＣＰＵが１又は複数のプログラムを実行することにより実現されてもよい。また、ＣＰＵによって実行される各プログラムは、磁気テープや磁気ディスクなどの磁気記録媒体、光ディスクなどの光記録媒体、光磁気記録媒体、半導体メモリなどの、コンピュータ装置が読み取り可能な記録媒体に記憶された状態で提供し得る。また、このプログラムを、インターネットのようなネットワーク経由でダウンロードさせることも可能である。
【図面の簡単な説明】
【００２７】
【図１】本実施形態に係る表示装置の構成を示すブロック図である。
【図２】入力装置の操作を説明する図である。
【図３】上記表示装置の動作を示すタイミングチャートである。
【図４】本発明を採用しない場合の表示装置の動作を示すタイミングチャートである。
【符号の説明】
【００２８】
１…表示装置、２…入力装置、１０…表示部、１１…制御部、１２…表示用電源部、１３…昇圧回路、１４…駆動制御回路、１５…駆動回路、１６…記憶性表示体、２０…検出部、２１…検出面、２２…近接検出部、２３…座標検出部。
【図１】
2010107860.tif 000003
【図２】
2010107860.tif 000004
【図３】
2010107860.tif 000005
【図４】
2010107860.tif 000006